(57)【要約】  本発明は、少なくとも１つのアンバランスウェイト部分（２１，２２；２３，２４）と少なくとも１つの軸受（１６，１７）とを有する多気筒エンジン用のバランシングシャフトに関し、少なくとも１つのアンバランスウェイト部分（２１，２２；２３，２４）は、軸受（１６，１７）と関連付けられ、軸受（１６，１７）は、軸受（１６，１７）の周囲に部分的にだけ延びるラジアル走行面（１８）を有し、バランシングシャフト（１１）の回転中に生じる遠心力は、軸受（１６，１７）の周囲に部分的にだけ延びる走行面（１８）によって形成された軸受（１６，１７）の領域内にある。【選択図】図１
2009534595.tif 000002
【特許請求の範囲】
【請求項１】
少なくとも１つのアンバランスウェイト部分（２１，２２；２３，２４）と少なくとも１つの軸受（１６，１７）を有し、少なくとも１つのアンバランスウェイト部分（２１，２２；２３，２４）が軸受（１６，１７）と関連付けられた多気筒エンジン用のバランシングシャフトであって、軸受（１６，１７）は、その軸受（１６，１７）の周囲に部分的にだけ延びるラジアル走行面（１８）を有し、バランシングシャフト（１１）の回転中に生じる遠心力が、軸受（１６，１７）の周囲に部分的に延びる走行面（１８）によって構成された軸受（１６，１７）の領域内にあるバランシングシャフト。
【請求項２】
軸受（１６，１７）の走行面（１８）は、１８０°〜３５９°の周囲角を有し、有利にはこの周囲角以内で連続的に延びる請求項１に記載のバランシングシャフト。
【請求項３】
走行面（１８）は、形状が球状である請求項１に記載のバランシングシャフト。
【請求項４】
軸受（１６，１７）は、バランシングシャフト（１１）の長手方向に対する断面で見て、くぼみ（３１）を有し、具体的にはＶ形、Ｗ形、浴槽形、又はカップ形のくぼみを有する請求項１に記載のバランシングシャフト。
【請求項５】
くぼみ（３１）は、バランシングシャフト（１１）の長手方向に関して対称的に構成された請求項４に記載のバランシングシャフト。
【請求項６】
軸受（１６，１７）の走行面（１８）とそれに隣接するくぼみ（３１）とで、回転軸（２７）がこの断面内にある断面を構成する請求項４に記載のバランシングシャフト。
【請求項７】
くぼみ（３１）は、バランシングシャフト（１１）の回転軸（２７）内にある少なくとも１つの中央壁部分（３２）を有する請求項４に記載のバランシングシャフト。
【請求項８】
軸受（１６，１７）の走行面（１８）とそれに隣接するくぼみ（３１）とで、回転軸（２７）がこの断面外にある断面を構成する請求項４に記載のバランシングシャフト。
【請求項９】
くぼみ（３１）は、軸受（１６，１７）の走行面（１８）と共に、タービン翼状の断面を形成する請求項４に記載のバランシングシャフト。
【請求項１０】
軸受（１６，１７）の部分的に構成された走行面（１８）は、バランシングシャフト（１１）の回転中に生じる遠心力に対して対称的に延びる請求項１に記載のバランシングシャフト。
【請求項１１】
軸受（１６，１７）の走行面の幅は、部分的に構成された走行面（１８）の端部（２９）まで少なくとも特定の部分で細くなる請求項１に記載のバランシングシャフト。
【請求項１２】
第１の軸受（１６；１７）の走行面（１８）の周囲角は、少なくとも１つの更に他の軸受（１６；１７）の走行面（１８）の周囲角と等しい請求項１に記載のバランシングシャフト。
【請求項１３】
軸受（１６，１７）の第１の走行面と少なくとも１つの更に他の走行面（１８）は、軸の長手方向に見て、その周囲角に対して同じ向きのものである、請求項１に記載のバランシングシャフト。
【請求項１４】
軸受（１６，１７）の第１の走行面と少なくとも１つの更に他の走行面（１８）は、軸の長手方向に見て、互いに対し回転されて配置された請求項１に記載のバランシングシャフト。
【請求項１５】
少なくとも１つの軸受（１６，１７）、その走行面（１８）、アンバランスウェイト部分（２１，２２；２３，２４）は、バランシングシャフト（１１）の中心面（４４）に対して点対称で配置された請求項１に記載のバランシングシャフト。
【請求項１６】
第１の軸受と少なくとも１つの更に他の軸受（１６，１７）の走行面（１８）は、互いに回転されて配置され、軸の長手方向に見て重なる領域を有する請求項１４に記載のバランシングシャフト。
【請求項１７】
軸受（１６，１７）の少なくとも１つの走行面（１８）の直径より大きい直径を有する少なくとも１つの外周部分を有する少なくとも１つのアンバランスウェイト部分（４６）が設けられた請求項１に記載のバランシングシャフト。
【請求項１８】
アンバランスウェイト部分（４６）は、基本要素（１４）の外側端に設けられる請求項１７に記載のバランシングシャフト。
【請求項１９】
軸受（１６，１７）は、軸受（１６，１７）の部分的に形成された走行面（１８）を取り囲む走行リング（３９）を有する請求項１に記載のバランシングシャフト。
【請求項２０】
走行リング（３９）は、軸受（１６，１７）の部分的に形成された走行面（１８）に押し込み結合及び／又は非押し込み結合とされ、具体的にはプレスされた請求項１８に記載のバランシングシャフト。
【請求項２１】
走行リング（３９）は、軸受（１６，１７）に材料一体化結合され、具体的には溶接又ははんだ付けによって結合された請求項１８に記載のバランシングシャフト。
【請求項２２】
軸受（１６，１７）は、走行リング（３９）を受け、走行リング（３９）は、縁が開き、軸受（１６，１７）の部分的に構成された走行面（１８）を取り囲み、好ましくは押し込み及び／又は非押し込み及び／又は材料一体化結合によって配置された請求項１８に記載のバランシングシャフト。
【発明の詳細な説明】
【技術分野】
【０００１】
本発明は、請求項１の特徴事項の前の記述で請求されているような多気筒エンジン用のバランシングシャフトに関する。
【背景技術】
【０００２】
ＷＯ２００５／０９３２８６  Ａ１は、少なくとも２つのアンバランスウェイト部分と少なくとも１つの軸受を有する多気筒エンジン用のバランシングシャフトを開示しており、このアンバランスウェイト部分は、軸受けに対して対称的に配置され、アンバランスウェイト部分の少なくとも１つは、バランシングシャフト用に駆動できる端部として軸受から離れた端部を有する。２つの軸受の間に弾性的で柔軟な結合要素が設けられ、そのアンバランスウェイト部分は、２つの部分が結合されるように結合要素に対して対称的に配置される。アンバランスウェイト部分の形状はほぼ半円である。軸受は、円柱状の円盤として設けられ、円柱状に構成された軸受の半分が、アンバランスウェイト部分に対して自由に突出している。Ｔ形支柱が、バランシングシャフトの長手方向に回転軸から円筒形軸受の自由外縁領域まで延び、アンバランス部分に作用し、このバランシングシャフトを補強するように設けられている。これは、バランシングシャフトを長手方向に補強するためである。そのようないくつかのバランシングシャフトは、それらの構成で重量が最適化されるが、多気筒エンジンの回転速度を更に高めるには、運動マスを更に削減しなければならない。更に、エンジンの開発における重量を削減は、性能値を改善するために基本的に重要である。
【特許文献１】ＷＯ２００５／０９３２８６  Ａ１
【発明の開示】
【課題を解決するための手段】
【０００３】
従って、本発明は、全重量と移動マスを減少させ同時に多気筒エンジン内のアンバランスの補償を維持するバランシングシャフトを提供するという目的に基づく。
【０００４】
本発明によれば、この目的は、請求項１に記載の特徴によって達成される。更に他の有利な構成と発展は、更に他の従属請求項に開示される。
【０００５】
軸受の周囲に部分的だけ延び、従って３６０°の周囲全体に延びないラジアル走行面を備えた軸受を有する本発明によるバランシングシャフトは、軸受自体の重量を大幅に減少させることを可能にする。従って、軸受は、部分領域が切除され、少なくとも走行面が形成されない空間の材料を減少させることができる。軸受自体の重量の減少の他に、軸受又は走行面の切除は、周囲全体に延びないように構成され且つ材料を減少させ、１つ又は複数のアンバランスウェイト部分を減少させることもできるという利点を有する。軸受の周囲に部分的に延びる走行面は、バランシングシャフトの周辺部分に対応し、そこにアンバランスウェイト部分が設けられる。これにより、バランシングシャフトの回転時に、部分走行面によって取り囲まれた軸受の領域に遠心力が生じ、従って、バランシングシャフトの走行面は、エンジンユニットの軸受のこの領域に支持される。これは、バランシングシャフトの機能を維持しながら、従来のバランシングシャフトより重量を２０〜４０％を削減させることができる。
【０００６】
本発明によるこの走行面の構成は、軸受の周囲に部分的に形成され、長い寿命を有する取り付けを維持するという更に他の利点を有する。バランシングシャフトの回転中に生じた遠心力が働く領域において、走行面はその形状が完結しその近くまで延び、その結果、負荷が最も大きい領域で、支持に対して決められた方式で取り付けるために、軸受は、軸受ブッシュで支持され、ニードルブッシュのローラで支持され、円筒ころ軸受で支持され、又はエンジンユニットの軌道リングで支持される。最も大きい負荷と対向し走行面を一部分だけ備えるか全く備えていない軸受の領域の負荷は、ほとんど又は完全に解放され、従ってこの領域の走行面の欠如は軸受の機能に悪影響を及ぼさない。
【０００７】
本発明の有利な構成によれば、軸受の走行面は、１８０°〜３５９°の周囲角を有しまた有利にはこの周囲角以内で連続的に延びるように作成される。少なくとも１８０°の部分的にだけ形成された走行面の構成により、バランシングシャフトが空中で止まった場合、即ちアンバランスウェイト部分が垂直上方に向けられた場合に、引っ掛かることなく１周りすることができる。走行面の端部領域は、１８０°よりも大きく延び、このタイプの停止位置で支持機能を有する。部分的に形成された走行面の空間が例えば１°と極めて小さい場合でも、重量を減らすために回転軸の方に延びる領域を切除し、また案内のために単にハーフシェル又はシェル状の環状部分として走行面を形成することができる。
【０００８】
本発明の更に有利な構成によれば、走行面が、軸方向で見て、その形状が球形になるように設けられる。これにより、例えば軸受ブッシュ、軸受リング、ニードルころ、円筒ころ等の軸受の損傷なしに、軸受間の動作中に生じる曲げ応力及び傾き又はトップリングを吸収することができる。
【０００９】
バランシングシャフトの軸受は、長手方向に対する断面で見て、例えば、Ｖ形、Ｗ形、浴槽形、又はカップ形に形成されたくぼみを有する。このタイプのくぼみは、バランシングシャフトの製造中に、鋳造、鍛造、プレス成形などによって、また機械加工によって簡単に形成することができ、従って、このタイプの軸受を低コストで製造し且つ重量を削減することができる。
【００１０】
軸受のくぼみは、バランシングシャフトの長手方向に関して対称的になるように形成されることが好ましい。これにより、バランシングシャフトを、設計の点で、具体的にはアンバランスウェイト部分の形状の点で、単純に開発することができる。
【００１１】
くぼみの代替形状によれば、前記くぼみは、周囲に部分的のみに延びる軸受の走行面と共に、回転軸が軸受の断面内にある断面を形成するように作成される。この実施態様は、バランシングシャフトを補強することができ、従ってバランシングシャフトを特定の負荷に使用可能にするという利点を有する。そのような場合、二次的に重要なことは、重量が多少減少することである。
【００１２】
本発明の代替構成によれば、断面で見て、バランシングシャフトの回転軸内に少なくとも１つの中央部分があるように軸受のくぼみが作成される。これにより、回転軸を補強することができ、少なくとも１つの更に他のくぼみ部分を中央部分の近くに構成して重量を節減することができる。
【００１３】
軸受の更に他の代替構成は、軸受の走行面とその近くにくぼみを設けて、回転軸が断面外にある断面面を形成する。例えば、このようにして軸受を三日月形断面にすることができる。このタイプの断面は、前記断面が同時に働き且つ潤滑液用のひしゃくとして使用できるという利点を有する。
【００１４】
軸受の更に他の代替実施形態は、軸受の周囲に部分的に延びる走行面によりタービン翼状の断面を形成するためにくぼみを備える。これは、潤滑液の輸送に極めて有利である。
【００１５】
バランシングシャフトの軸受の更に有利な構成は、バランシングシャフトの回転によって生じる遠心力と対称的に構成され周囲に部分的に延びる走行面を形成することである。その結果、軸受自体は、アンバランスウェイト部分として働き、バランシングシャフトの設計に計算に含めることができる。
【００１６】
更に、走行面の端部までの少なくとも特定の部分に徐々に細くなるように軸受の走行面の走行面幅（周囲に部分的に延びる）を形成することが有利である。換言すると、走行面は、生じる遠心力の作用の領域内で、バランシングシャフトの軸の長手方向に最も大きい幅又は拡がりを有し、少なくとも特定の部分において、その幅は、走行面の自由端部に対して時計回りとその逆方向に細くなる。この結果、重量が更に減少し、軸受摩擦が更に減少することになる。また、走行面の幅は、周囲角に沿って複数回変化し、従って幅が交互に狭くなりまた広くなってもよい。
【００１７】
第１の軸受の走行面の周囲角は、本発明の有利な構成によれば、少なくとも１つの更に他の軸受の走行面の周囲角と等しい。これにより、各軸受で同じ軸受状態が実現される。
【００１８】
更に、第１の走行面と少なくとも１つの更に他の軸受の少なくとも１つの更に他の走行面を、バランシングシャフトの軸の長手方向に見て、バランシングシャフトの周囲角に対して同じ向きになるようにすることが好ましい。具体的には、エンジンハウジング内の静的アンバランス用のバランシングシャフトをこのようにすることができる。同時に、これにより、バランシングシャフトの中心面に対して実質的に鏡像対象構成が可能になる。
【００１９】
本発明の代替構成によれば、軸の長手方向において互いに回転された軸受の走行面を設ける。これにより、モーメントのアンバランスとして知られるものを補償することができる。このタイプのバランシングシャフトは、具体的には、Ｖ形シリンダ構成又は奇数のシリンダを有するエンジン内で使用される。例えば、２個の軸受を有するバランシングシャフトでは、これらの軸受の走行面を互いに１８０°回転させて提供することができる。３個以上の軸受を備える場合は、走行面の向きは、モーメントのアンバランスを達成するように適応され、バランシングシャフトの中心面に従って、半径方向の動作で互いにずらされるか又は回転されるよう適応され、従ってこれに対応するモーメントのアンバランスを生成することができる。
【００２０】
バランシングシャフトには、モーメントのアンバランスのために前記バランシングシャフトが中心面に対して実質的に点対称に構成されることが好ましい。これにより、それぞれのレバーアームに従って、決められた力が中心面に対して作用することができ、それによりモーメントのアンバランスが打ち消される力に正確に適応させられる。
【００２１】
更に好ましい構成によれば、軸受の走行面が少なくとも２つある場合、走行面の重なり領域が形成されるように、Ｘ軸又はバランシングシャフトの長手方向のまわりに相互に回転させられる。走行面の端部領域は、縦軸に沿った方向で見て、互いにわずかに重なることが好ましい。これにより、低損失の取り付けが可能になる。
【００２２】
本発明の更に好ましい構成によれば、少なくとも１つのアンバランスウェイト部分が、軸受の少なくとも１つの走行面の直径より大きい直径を有する外周部分を有するように形成される。走行面の外周面より突出するそのような不均衡部分は、バランシングシャフトの外側端部に設けられることが好ましく、従って単純な取り付けが維持される。このタイプのバランシングシャフトは、モーメントのアンバランスを補償する働きもする。
【００２３】
本発明の更に有利な構成によれば、軸受の周囲に部分的に延びる走行面の走行面を取り巻く走行リングを有する軸受が提供される。これにより、取り付け部分に特別の要件が課される場合に、そのような要件を満たすために適切な軸受リングを提供することができる。走行リングを使用して、滑り軸受を構成することができる。代替として、走行リングの利用により、転がり軸受（具体的には、ころ軸受）を使用でき、同時に軸受の重量を減少させることができる。
【００２４】
保持される軸受位置を取り囲む走行リングが、軸受に対する押し込み及び／又は非押し込み結合によって形成されると有利である。これにより、走行リングを追加の操作で軸受に容易に固定することができる。特に非押し込み結合の場合は、走行面を確実に受けるために、少なくとも１８０°の周囲角を有する軸受を形成することが好ましい。代替として、走行リング内の軸受の近くに内方を向く突出部を設けてもよく、これにより、１８０°未満の走行面の周囲角で非押し込み結合とし、同時に押し込み結合が可能になる。
【００２５】
本発明の更に他の代替構成によれば、材料一体化結合によって軸受上に保持される走行リングが設けられる。このタイプの材料一体化結合は、はんだ付け又は溶接工程によって作成することができる。材料一体化結合では、走行面の部分的周囲角はほとんど周囲を取り囲むことができず、従って、走行面は、アンバランスの結果として負荷が最も大きくなる周囲角で軸受面に対する支持が容易になるように向けられる。更に、代替として、走行リングは、走行面に対して押し込み及び／又は非押し込み及び／又は材料一体化結合によって設けられてもよい。
【００２６】
本発明とその更に他の有利な実施形態及び発展は、図面に示した例に基づいて以下により詳細に説明される。本発明によれば、説明及び図面から推論することができる特徴は、それぞれ個々に又は任意の所望の組み合わせで適用することができる。
【発明を実施するための最良の形態】
【００２７】
図１は、本発明によるバランシングシャフト１１の第１の実施形態の斜視図である。このタイプのバランシングシャフト１１は、多気筒エンジン用であり、二次マス力(scond order mass force)を補償する働きをする。従来、エンジン回転速度の２倍で逆方向に回転する２本のバランシングシャフトが互いにずらされて配置されていた。
【００２８】
例えばバランシングシャフト１１を駆動するチェーンホイールなどの駆動部（詳しく示されていない）が、バランシングシャフトの後端部１２（図１に示した）に設けられる。バランシングシャフト１１は第１と第２の軸受１６、１７が設けられた基本要素１４を有する。これらの軸受は、バランシングシャフト１１をエンジンユニット内に取り付ける働きをする。これらの軸受１６、１７は、走行面１８を有し、その周囲は、基本要素１４の他の部分の周囲より大きくなるように構成されている。これにより、片方の端部１３が前方にある状態でバランシングシャフト１１をエンジンユニット内の軸受又は軸受ブッシュに挿入することができ。
【００２９】
バランシングシャフト１１は、実質的にバランシングシャフト１１の長手方向の長さ全体に均一な断面を有する基本要素１４を有する。アンバランスウェイト部分２１から２４は、第１と第２の軸受１６、１７に対して対称的に設けられ、アンバランスウェイト部分２２と２３は、互いに連続的に結合されている。端部１２、１３は、前記アンバランスウェイト部分の設計において考慮される。基本要素１４は、バランシングシャフト１１の回転軸２７を通るか回転軸２７内にある壁部分２６を有する。
【００３０】
第１と第２の軸受１６と１７は、それらの周囲に部分的に延びている走行面１８を有し、走行面１８は、１８０°〜３５９°の周囲を取り囲む。この構成により、部分軸受として知られているものが形成される。図３による例示的な実施形態では、走行面の周囲角は、例えば１９０°〜２２０°の範囲である。更に他の領域は、完全性のために角度３６０°にされ、走行面なしに本発明に従って構成される。図１から図３に示した本発明による第１と第２の走行面１６、１７によって、軸受１６と１７を、当該技術分野で既知の円柱状軸受又は円盤状軸受よりもかなり節減された重量で構成することができる。同時に、１８０°のラップ角の上に突出する端部領域２９によって、エンジンユニットにおける軸受内の静止バランシングシャフト１１の接近が簡単になり、特にアンバランスウェイト部分２１から２４が垂直上方に向いている位置にバランシングシャフトが止まると、傾くことなく確実に接近させることができる。
【００３１】
軸受１６と１７は、図３による断面で見て、形状がカップ形又は浴槽形のくぼみ３１を有する。くぼみ３１の中央壁部分３２が、回転軸２７を通る。中央壁部分３２の隣りには、円の弧と徐々に結合しアンバランスウェイト部分２１、２２、２３、２４の範囲を定める平坦部が設けられる。
【００３２】
回転軸２７内にある、基本要素１４の中央壁部分３２によって、軸の長手方向にバランシングシャフト１１の十分に堅い構成とすることができる。バランシングシャフトの回転によって生じる遠心力は、例示的な実施形態では、バランシングシャフト１１の図示した位置により、図３に矢印Ｆzで示した方向に垂直下方に向く。時計回り方向とその反対方向に延びる部分走行面１８を形成するために、走行面の部分が対称的にされる。理想的には、生じる遠心力の向きに対して部分走行面１８全体を形成するために、左側と右側の走行面部分の対称構成が設けられる（図３に示した）。代替として、生じる遠心力は、また、例えば４時又は５時の位置、７時又は８時の位置などの向きも含むことができる。代替として、走行面１８を最大３５９°に渡って延びるように設けてもよい。そのような場合、浴槽状のくぼみ３１は設けられず、互いの方に向いた端部領域２９によって形成される隙間の後ろに延びる空間又は空洞が形成される。
【００３３】
図１から図３に示したバランシングシャフト１１では、軸受１６と１７は、滑り軸受を形成するように構成される。これらの軸受１６、１７は、エンジンユニット内で転がり軸受を形成するように構成されてもよい。エンジンユニットの軸受は、例えば、ニードルブッシュを有する円筒形ローラ又はローラを有することができる。走行面１８を形成するために側面で立ち上がった端部領域２９を備えた図３に示した断面は、同時に潤滑液を巻き込み、軸受１６、１７の潤滑が保証されるという利点を有する。
【００３４】
図１から図３に示したバランシングシャフトは、具体的には、例えば４気筒列形エンジン内で生じるような静的アンバランスを生成するマス力を補償する。これは、例えばＺ軸に対して垂直なＹ軸で作用する静的アンバランスを補償する。
【００３５】
図４から図６は、図１のバランシングシャフト１１の更に他の代替実施形態を示す。このバランシングシャフト１１では、基本要素１４は修正されており、図６に示したように、軸受１６と１７は、図３と異なるように構成されている。
【００３６】
軸受１６と１７は、例えば形状が浴槽状のくぼみ３１と、くぼみ３１及び軸受１６、１７の周囲に部分的に延びる走行面１８と共に回転軸２７の外側に断面を形成する中央壁部分３２とを有する。このタイプの実施形態では、軸受１６と１７の重量は、図３の実施形態より更に減少する。これと関連した減少は、１つ又は複数のポイントで回転軸から遠いほどマスが少なくなるという事実の結果として補償される。この原理により、全体のマスが更に減少する。このケースでは、それぞれ端部１２、１３から軸受１６、１７の中央壁部分３２まで継ぎ目なく移行することが好ましい。そのような継ぎ目のない移行は、残りの作動部分３６を有するバランシングシャフト１１の中心にも設けられる。端部１２、１３の先端の間に回転可能に取り付けられるこのタイプのバランシングシャフト１１の製造において、バランシングシャフトの機械加工中に走行面１８の正確な構成を可能にするために、更に、残りの作動部分３６に保持装置又は保持台が作用する。
【００３７】
図４から図６に示したバランシングシャフト１１は、最も軽量な構造に設計されている。使用される材料により、バランシングシャフト１１の長手方向で最小の剛性と曲げ強さを達成することができる。アンバランスウェイト部分２１、２２、２３、２４は、軸受１６、１７に対して対称的に配置され、それぞれの場合、基本要素１４の更に他の経路（例えば、端部１２、１３の経路と、残りの作動部分３６の経路）は、アンバランスウェイト部分２１、２２、２３、２４のマスの設計に影響を及ぼす。アンバランスウェイト部分２１、２２、２３、２４の円形断面の部分は、アンバランスウェイトを回転軸２７から十分に外して偏心的に位置決めすることができるという利点を有する。
【００３８】
図７から図９は、バランシングシャフト１１の更に他の代替実施形態を示す。図７から図９によるバランシングシャフト１１は、走行面１８と共にくぼみ３１が、断面の回転軸２７が軸受１６と１７の内部にあるような断面を構成しているという点で、図４から図６によるバランシングシャフト１１と異なる。これにより、より小さい不均衡さである程度大きい重量を有するバランシングシャフト１１が提供される。同時に、回転軸２７を全体として断面と基本要素１４に含めることにより、大きな負荷を受けることができ且つそれにも関わらず軸受１６と１７によって重量が減少したバランシングシャフトが提供される。他の点では、図４から図６に関して述べた説明が該当する。
【００３９】
図１０は、図９の代替実施形態としての軸受１６、１７の概略断面図である。くぼみ３１は、走行面１８と共に、タービン翼状の断面を形成し、それにより潤滑剤の巻き込みが強化される。
【００４０】
くぼみ３１の構成は、形状、サイズ及び／又は幾何学的配置がそれぞれの用途に適応され、多数の構成が可能である。
【００４１】
図１１と図１２は、バランシングシャフト１１の更に他の代替実施形態を示す。このバランシングシャフト１１は、アンバランスウェイト部分２１、２２、２３、２４、及び軸受１６、１７が、中心面４４に対して実質的に点対称に構成されているという点で前述の図のものと異なる。中心面４４は、Ｘ軸、バランシングシャフト１１の回転軸、又は長手方向軸に垂直である。このタイプのバランシングシャフト１１は、図１から図９による前述のバランシングシャフト１１と異なり、モーメントのアンバランスを補償するために使用される。
【００４２】
そのようなモーメントのアンバランスの補償は、例えば、Ｖ３エンジン、Ｖ６エンジン又は奇数個のシリンダを有する直列形エンジンなどのＶ字形シリンダ構成を有するエンジンで使用される。この実施形態では、各軸受１６、１７の走行面１８の周囲角は、バランシングシャフト１１の回転軸方向から見て、走行面１８の少なくとも１つの端領域２９が重なるように構成される。他の点に関しては前述の図に関して述べた説明が該当する。
【００４３】
図１３と図１４は、バランシングシャフト１１の更に他の代替実施形態を示す。この実施形態は、図１１と図１２によるバランシングシャフト１１の代替である。この実施形態では、アンバランスウェイト部分４６は、少なくとも特定部分に直径が走行面１８の直径より大きい外周部を有し、バランシングシャフト１１の一方の端に設けられる。このアンバランスウェイト部分４６は、円盤状アンバランスマスとして、あるいは円盤状アンバランスマスの一部分として構成される。バランシングシャフト１１の外側端におけるこのタイプのアンバランスマスの構成は、バランシングシャフト１１の単純な取り付けを保持するという利点を有する。他の点では、前述の図に関して述べられた説明が該当する。更に、アンバランスウェイト部分４６は、外側端にあるアンバランスウェイト部分２１、２４を有するように構成されてもよい。
【００４４】
図１５から図１７は、図７から図９による前述のバランシングシャフト１１に対するバランシングシャフト１１の更に他の代替実施形態を示す。更に、図７から図９によるバランシングシャフト１１に走行面１８を取り囲む走行リング３９を有する。これにより、エンジンユニットにおいて、バランシングシャフト１１を、滑り軸受、具体的にはころ軸受又は転がり軸受として構成された軸受用に修正することができる。それでも、くぼみ３１のために、軸受１６、１７の重量の減少が実現される。１つの実施形態によれば、走行リング３９は、バランシングシャフト３１の挿入前に走行面１８にプレスされる。この実施形態では、走行面１８の周囲角が１８０°より大きくなるように構成されることが好ましい。代替として、内方に突出し、走行面１８の一部分又は走行面１８の自由端に作用し、従って非押し込み結合及び押し込み結合を生成する突出部を有するように走行リング３９を作成してもよい。後の実施形態では、走行面１８は、１８０°未満のラップ角を有してもよい。
【００４５】
走行リング３９を備えた軸受１６、１７を構成するための更に他の代替の実施形態は、軸受面１６、１７の走行面１８に支えられて取り囲む走行リング３９と、走行リング３９と走行面１８の間に設けられる材料一体化結合を提供することができる。このタイプの実施形態では、走行面１８の周囲角を大幅に小さくすることができ、従って重量を更に削減することができる。従って、走行面１８の小さい部分（少なくともＦz方向（図３）に延びる）を構成して支持を保証することができる。
【００４６】
更に、代替として、縁が開いているか完全には閉じていない走行面１８を備えるように走行リングを作成してもよい。この実施形態により、特定の要件を満たすためにバランシングシャフト１１に特別な軸受材料を使用することができ、同時に重量を削減することができる。以上述べた実施形態による閉じた走行リング３９と同じように、縁が開いた走行リングを走行面１８に設けて固定することができる。
【００４７】
以上述べたバランシングシャフト１１をエンジン内で任意の望みの方式で互いに組み合わせることができる。これは、エンジンの構造に依存し、従って、バランシングシャフトの設計は、補償される静的アンバランス及び／又はモーメントのアンバランスに適応されなければならない。同様に、個々のバランシングシャフト１１の個々の特徴を互いに組み合わせることができる。
【００４８】
以上述べた例示的実施形態はすべて、バランシングシャフト１１の重心が、遅くとも取り付けた状態で、その長手方向に基づいて多気筒エンジンの中心に重心を有するという事実が共通である。
【００４９】
以上述べたすべての特徴は、それぞれ本質的に、本発明にとって不可欠であり、任意の望ましい方式で互いに組み合わせることができる。
【図面の簡単な説明】
【００５０】
【図１】バランシングシャフトの本発明による第１の実施形態の斜視図である。
【図２】図１によるバランシングシャフトの概略側面図である。
【図３】図２の線III−IIIに沿った概略断面図である。
【図４】バランシングシャフトの本発明による第２の実施形態の斜視図である。
【図５】図４によるバランシングシャフトの概略側面図である。
【図６】図５の線Ｖ−Ｖに沿った概略断面図である。
【図７】バランシングシャフトの本発明による第３の実施形態の斜視図である。
【図８】図７によるバランシングシャフトの概略側面図である。
【図９】図８の線Ｖ−Ｖに沿った概略断面図である。
【図１０】図９に対する軸受の代替の実施形態の断面図である。
【図１１】バランシングシャフトの本発明による第４の実施形態の斜視図である。
【図１２】図１１によるバランシングシャフトの概略側面図である。
【図１３】バランシングシャフトの本発明による第５の実施形態の斜視図である。
【図１４】図１３によるバランシングシャフトの概略側面図である。
【図１５】バランシングシャフトの本発明による第６の実施形態の斜視図である。
【図１６】図１５によるバランシングシャフトの概略側面図である。
【図１７】図１６の線XIII−XIIIに沿った概略断面図である。
【図１】
2009534595.tif 000003
【図２】
2009534595.tif 000004
【図３】
2009534595.tif 000005
【図４】
2009534595.tif 000006
【図５】
2009534595.tif 000007
【図６】
2009534595.tif 000008
【図７】
2009534595.tif 000009
【図８】
2009534595.tif 000010
【図９】
2009534595.tif 000011
【図１０】
2009534595.tif 000012
【図１１】
2009534595.tif 000013
【図１２】
2009534595.tif 000014
【図１３】
2009534595.tif 000015
【図１４】
2009534595.tif 000016
【図１５】
2009534595.tif 000017
【図１６】
2009534595.tif 000018
【図１７】
2009534595.tif 000019
【国際調査報告】
2009534595.tif 000020
2009534595.tif 000021
2009534595.tif 000022
2009534595.tif 000023